(57)【要約】【課題】安価な製造方法で製造できるようにすると共に、薄肉になり過ぎることもなく、適切な肉厚で製造できるようにする。【解決手段】流体を流通させる流路が内部に形成された平板状流路部に、平板状流路部の平面方向とは異なる方向の流路が内部に形成された第２の流路部が連接されて構成される樹脂製ダクトについて、樹脂製ダクトを分割金型で成形することによるパーティングラインを、平板状流路部にはその平板状流路部の平面方向に対する側面に形成する。また、第２の流路部には、その第２の流路部における上端開口部または下端開口部における開口面につながるよう形成する。【選択図】図５
2014083866.tif 000002
【特許請求の範囲】
【請求項１】
流体を流通させる流路が内部に形成された平板状流路部に、
前記平板状流路部の平面方向とは異なる方向の流路が内部に形成された第２の流路部が連接されて構成される樹脂製ダクトであって、
前記第２の流路部は、上端に上端開口部が設けられると共に、下端に下端開口部が設けられ、
前記平板状流路部は、少なくとも上向きまたは下向きに第３の開口部が設けられ、
前記平板状流路部内の流路は、前記第２の流路部における前記上端開口部および前記下端開口部の何れからも所定距離以上離れた位置で、前記第２の流路部内の流路と連通され、
前記樹脂製ダクトを分割金型で成形することによるパーティングラインは、
前記平板状流路部には当該平板状流路部の平面方向に対する側面に形成され、
前記第２の流路部には前記上端開口部または前記下端開口部における開口面につながるよう形成されたことを特徴とする樹脂製ダクト。
【請求項２】
前記平板状流路部は、バッテリを載置する載置台として用いられ、
前記第３の開口部は、前記平板状流路部の上面に、前記バッテリを載置可能に開設されたことを特徴とする請求項１記載の樹脂製ダクト。
【請求項３】
前記平板状流路部におけるパーティングラインは、前記第３の開口部に触れないよう形成されたことを特徴とする請求項１または２記載の樹脂製ダクト。
【請求項４】
請求項１から３の何れか１項に記載の樹脂製ダクトと、前記樹脂製ダクトを他のダクトに接続させる中継部材とを有し、前記中継部材が前記樹脂製ダクトに接合部材で接合されて構成されたダクト構成体であって、
前記中継部材は、
前記樹脂製ダクトの前記第２の流路部における前記パーティングラインがつなげられていない開口部が嵌め込まれる第１の嵌合部と、
前記他のダクトに嵌め込まれる第２の嵌合部と、を有し、
前記第２の嵌合部における前記他のダクトへの嵌め込み方向の長さは、前記第１の嵌合部における前記樹脂製ダクトの嵌め込み方向の長さよりも長いことを特徴とするダクト構成体。
【請求項５】
樹脂を分割金型で挟み込んで成形する成形工程を有する樹脂製ダクトの製造方法であって、
前記樹脂製ダクトは、流体を流通させる流路が内部に形成された平板状流路部に、前記平板状流路部の平面方向とは異なる方向の流路が内部に形成された第２の流路部が連接されて構成され、
前記第２の流路部は、上端に上端開口部が設けられると共に、下端に下端開口部が設けられ、
前記平板状流路部は、少なくとも上向きまたは下向きに第３の開口部が設けられ、
前記平板状流路部内の流路は、前記第２の流路部における前記上端開口部および前記下端開口部の何れからも所定距離以上離れた位置で、前記第２の流路部内の流路と連通され、
前記樹脂製ダクトを分割金型で成形することによるパーティングラインは、
前記平板状流路部には当該平板状流路部の平面方向に対する側面に形成され、
前記第２の流路部には前記上端開口部または前記下端開口部における開口面につながるよう形成されることを特徴とする樹脂製ダクトの製造方法。
【発明の詳細な説明】
【技術分野】
【０００１】
本発明は、流体を流通させる流路部が平板状になっている平板状流路部を有する樹脂製ダクト、ダクト構成体および製造方法に関する。
【背景技術】
【０００２】
一般に、エアコンユニット等からの流体を所望の部位へ流通させるため、用途に応じた様々な形状のダクトが用いられている。
【０００３】
例えば車両のバッテリについて、バッテリパックを車両前後方向に２分割して配置し、両者間の空間に冷却ダクトを経由して空調装置からの冷却風を通し、前部及び後部のバッテリパックを独立に冷却するようにしたものがある（例えば、特許文献１参照）。
このようにバッテリを冷却することで、バッテリの性能と寿命の低下防止に貢献できることが知られている。
【先行技術文献】
【特許文献】
【０００４】
【特許文献１】特開２０１１−７９４１１号公報
【発明の概要】
【発明が解決しようとする課題】
【０００５】
しかしながら、上述した特許文献１のように、積載されたバッテリに冷却風を送ろうとすると、より効率的に冷却するためには、積載されたバッテリとバッテリの間にまで冷却風を流通させることがより望まれる。このように空気を流通させるためには、積載された下の段のバッテリの方向に空気を流通させる流路と、上の段のバッテリの方向に空気を流通させる流路とに、流路を分岐させるダクトが求められる。
【０００６】
こうした流路が分岐するダクトを成形する場合、射出成形などの比較的コストの高い製造方法を用いず、例えば分割金型によるブロー成形といった安価な製造方法で製造できるようにしようとすると、ダクトが中空の成形品であるため、パーティングラインからの距離が問題となる。
【０００７】
すなわち、樹脂材料を金型のキャビティ面の形状に賦形して中空の成形品を成形する場合、パーティングラインからの距離が遠い位置になるほど、樹脂材料をその位置まで引き延ばす必要があるため、樹脂材料が薄肉となっていく。薄肉にし過ぎてしまうと、場合によっては樹脂材料がちぎれてしまったり、必要な強度を持たせることができなくなるなどの問題が発生してしまう。
【０００８】
本発明はこのような状況に鑑みてなされたものであり、安価な製造方法で製造できるにもかかわらず、薄肉になり過ぎることもなく、適切な肉厚で製造することができる樹脂製ダクト、ダクト構成体および製造方法を提供することを目的とする。
【課題を解決するための手段】
【０００９】
かかる目的を達成するために、本発明に係る樹脂製ダクトは、
流体を流通させる流路が内部に形成された平板状流路部に、
平板状流路部の平面方向とは異なる方向の流路が内部に形成された第２の流路部が連接されて構成される樹脂製ダクトであって、
第２の流路部は、上端に上端開口部が設けられると共に、下端に下端開口部が設けられ、
平板状流路部は、少なくとも上向きまたは下向きに第３の開口部が設けられ、
平板状流路部内の流路は、第２の流路部における上端開口部および下端開口部の何れからも所定距離以上離れた位置で、第２の流路部内の流路と連通され、
樹脂製ダクトを分割金型で成形することによるパーティングラインは、
平板状流路部には当該平板状流路部の平面方向に対する側面に形成され、
第２の流路部には上端開口部または下端開口部における開口面につながるよう形成されたことを特徴とする。
【００１０】
また、本発明に係るダクト構成体は、
上述した本発明に係る樹脂製ダクトと、樹脂製ダクトを他のダクトに接続させる中継部材とを有し、中継部材が樹脂製ダクトに接合部材で接合されて構成されたダクト構成体であって、
中継部材は、
樹脂製ダクトの第２の流路部におけるパーティングラインがつなげられていない開口部が嵌め込まれる第１の嵌合部と、
他のダクトに嵌め込まれる第２の嵌合部と、を有し、
第２の嵌合部における他のダクトへの嵌め込み方向の長さは、第１の嵌合部における樹脂製ダクトの嵌め込み方向の長さよりも長いことを特徴とする。
【００１１】
また、本発明に係る樹脂製ダクトの製造方法は、
樹脂を分割金型で挟み込んで成形する成形工程を有する樹脂製ダクトの製造方法であって、
樹脂製ダクトは、流体を流通させる流路が内部に形成された平板状流路部に、平板状流路部の平面方向とは異なる方向の流路が内部に形成された第２の流路部が連接されて構成され、
第２の流路部は、上端に上端開口部が設けられると共に、下端に下端開口部が設けられ、
平板状流路部は、少なくとも上向きまたは下向きに第３の開口部が設けられ、
平板状流路部内の流路は、第２の流路部における上端開口部および下端開口部の何れからも所定距離以上離れた位置で、第２の流路部内の流路と連通され、
樹脂製ダクトを分割金型で成形することによるパーティングラインは、
平板状流路部には当該平板状流路部の平面方向に対する側面に形成され、
第２の流路部には上端開口部または下端開口部における開口面につながるよう形成されることを特徴とする。
【発明の効果】
【００１２】
以上のように、本発明によれば、安価な製造方法で製造できるにもかかわらず、薄肉になり過ぎることもなく、適切な肉厚で製造することができる。
【図面の簡単な説明】
【００１３】
【図１】本発明の実施形態としてのダクト構成体３００の外観を示す斜視図である。
【図２】同、側面図である。
【図３】同、平面図である。
【図４】同、背面図である。
【図５】ダクト構成体３００を分解した状態の形状を模式的に示す（ａ）側面図、（ｂ）背面図である。
【図６】ダクト構成体３００を下側ダクト５００と組み合わせた使用例を模式的に示す図である。
【図７】中継部材２００における嵌合凹部２０１および嵌め込み部２０２での嵌め合わせ深さの関係を説明する図である。
【図８】本実施形態による製造方法例を説明するための第１の図である。
【図９】本実施形態による製造方法例を説明するための第２の図である。
【発明を実施するための形態】
【００１４】
次に、本発明に係る樹脂製ダクト、ダクト構成体および製造方法をバッテリ用のダクト構成体に適用した一実施形態について、図面を用いて詳細に説明する。
【００１５】
＜ダクト構成体３００の構成例＞
まず、図１〜図６を参照しながら、本実施形態により成形するダクト構成体３００の構成例について説明する。図１は全体斜視図を、図２〜図４は外観を、図５は分解した状態を、図６は他のダクトと嵌め合わせての使用例を、それぞれ示す。
【００１６】
本実施形態のダクト構成体３００は、不図示のエアコンユニットや空気循環用のファンなどから供給される冷暖風を所望の部位へ流通させるための軽量なダクト構成体３００であり、熱可塑性樹脂を分割金型で型締めし、ブロー成形することで成形される。
【００１７】
本実施形態のダクト構成体３００は、図１、図２、図４〜図６に示すように、分岐ダクト（樹脂製ダクト）１００と、中継部材２００とを有して構成され、この中継部材２００は、分岐ダクト１００にタッカーなどの接合部材１１５により固定される。
接合部材１１５の位置や接合箇所数は、図４、図６に示す位置および数に限定されず、中継部材２００と分岐ダクト１００とを固定することができれば任意の位置および接合箇所数であってよい。
【００１８】
分岐ダクト１００は、図１〜図４に示すように、縦型流路部１１０ａ，１１０ｂのそれぞれに、平板状流路部１２０が連接されて構成され、この縦型流路部１１０ａと１１０ｂ、平板状流路部１２０ａと１２０ｂが、それぞれ橋渡し部１３０により接続されて一体とされて構成される。
【００１９】
縦型流路部１１０ａと１１０ｂ、平板状流路部１２０ａと１２０ｂは、それぞれおおよそ同様の形状となっているため、以下、その一方について説明する。
【００２０】
縦型流路部１１０は、内部に中空の流路１１１が形成されると共に、上端に上端開口部１１２が開設され、下端に下端開口部１１３が開設される。また、平板状流路部１２０は、内部に中空の流路１２１が形成されると共に、平板状の上面にバッテリ用開口部１２２が開設される。
【００２１】
平板状流路部１２０は、縦型流路部１１０における上端開口部１１２および下端開口部１１３の何れからも所定距離以上離れた位置で、この縦型流路部１１０に連接される。また、縦型流路部１１０内の流路１１１と、平板状流路部１２０内の流路１２１とは、互いに連通されるようになっている。
このことにより、図６に示すように、縦型流路部１１０における上端開口部１１２からの流路が、下端開口部１１３への流路と、平板状流路部１２０内への流路とに分岐されるように構成される。
【００２２】
縦型流路部１１０内の流路１１１における流路方向は、図６に示すように、平板状流路部１２０の平面方向に対しておおよそ垂直方向、すなわち、平板状流路部１２０内の流路１２１における流路方向に対しておおよそ垂直方向となっている。
【００２３】
中継部材２００（２００ａ、２００ｂ）は、分岐ダクト１００の下端開口部１１３ａ、１１３ｂに１つずつ取り付けられ、それぞれ上述した接合部材１１５により分岐ダクト１００に固定される。
中継部材２００ａと２００ｂは、それぞれおおよそ同様の形状となっているため、以下、その一方について説明する。
【００２４】
中継部材２００は、内部に中空の流路が形成され、上部には、分岐ダクト１００の下端開口部１１３を挿入させるための嵌合凹部２０１が形成される。また、下部には、図６、図７に示すように、下側ダクト５００の管内に嵌め込んで用いるための嵌め込み部２０２が形成される。
【００２５】
分岐ダクト１００が中継部材２００に嵌め込まれた状態での、分岐ダクト１００における中継部材２００の上端部周辺の位置には、図１、図２、図４、図５（ｂ）、図７に示すように、リブ１１４が凸設される。分岐ダクト１００の下端開口部１１３が中継部材２００の嵌合凹部２０１内に嵌め込まれる際、このリブ１１４の下端に中継部材２００の嵌合凹部２０１の内側が当接することで、中継部材２００への嵌め込み深さが正確に決定されることとなる。
【００２６】
このことにより、分岐ダクト１００が中継部材２００に嵌め込まれた状態での、上端開口部１１２から中継部材２００下端までの高さが正確に決定されることとなる。分岐ダクト１００と中継部材２００は、こうして嵌め込み深さが正確に決定された状態で、上述した接合部材１１５により接合され、固定される。
【００２７】
中継部材２００における嵌め込み深さの関係を図７に示す。この図７に示すように、中継部材２００の嵌合凹部２０１に分岐ダクト１００が嵌め込まれる嵌め込み深さをＸ、嵌め込み部２０２が下側ダクト５００の管内に嵌め込まれる嵌め込み深さをＹとすると、Ｙ＞Ｘとなるように中継部材２００は成形される。
このように、中継部材２００は、分岐ダクト１００における縦型流路部１１０の下端開口部１１３へ向かう側の流路を延長すると共に、下側ダクト５００への嵌め込み深さＹを、安定した嵌め合わせとして十分な長さまで確保できるようにするものとして機能する。
【００２８】
分岐ダクト１００は、後述のように、溶融状態の熱可塑性樹脂を分割金型で型締めするブロー成形により成形される。この分割金型での成形によるパーティングライン１４０は、図１、図２、図５（ａ）に示すように、平板状流路部１２０においては平板状である部分の平面方向に対する側面方向に形成され、縦型流路部１１０の側面から上端開口部１１２の開口面につながるように形成される。
【００２９】
後述するブロー成形の際、開口部それぞれは、図５（ａ）に閉鎖部１５０として示すように、開口部が閉じられた状態として成形される。そして成形後の後加工として各閉鎖部が切除されることにより、開口状態とされて用いられる。
図１、図２、図４、図５中のパーティングライン１４０は、このブロー成形の段階で設けられている閉鎖部１５０を含めたものとして示す。図１、図２、図４中では閉鎖部を省略してパーティングライン１４０のみを示す。
【００３０】
中継部材２００のパーティングライン２１０は、中継部材２００の上端および下端の開口部それぞれにおける長手方向の両端部近傍の位置をつなぐように、上端および下端の開口部それぞれにつながる線として形成される。
【００３１】
ダクト構成体３００は、以上のように構成されることで、図６に示すように、中継部材２００の嵌め込み部２０２が下側ダクト５００の管内に嵌め込まれて使用される。
図６の使用例では、分岐ダクト１００の上端開口部１１２が不図示の他のダクト等に接続され、不図示のエアコンユニットや空気循環用のファンなどからの冷却用の空気が分岐ダクト１００内に供給されている。
【００３２】
図６の使用例では、分岐ダクト１００の平板状流路部１２０、下側ダクト５００のそれぞれに不図示のバッテリが載置されて用いられる。
平板状流路部１２０に載置されたバッテリに対しては、分岐ダクト１００の上端開口部１１２から供給された空気が、縦型流路部１１０内の流路１１１を経て平板状流路部１２０内の流路１２１に流通され、バッテリ用開口部１２２からバッテリへと送風される。
【００３３】
また、下側ダクト５００に載置されたバッテリに対しては、分岐ダクト１００の上端開口部１１２から供給された空気が、縦型流路部１１０内の流路１１１を経て下端開口部１１３から中継部材２００に流通され、さらに下側ダクト５００に流通され、下側ダクト５００におけるバッテリ用開口部からバッテリへと送風される。
【００３４】
このように、上端開口部１１２からの流路は、縦型流路部１１０内で、平板状流路部１２０内の流路１２１に向かう方向と、下端開口部１１３に向かう方向とのそれぞれに分岐される。このことにより、分岐ダクト１００の上端開口部１１２から冷却用の空気が供給されると、上述のように平板状流路部１２０に載置されたバッテリ、および下側ダクト５００に載置されたバッテリのそれぞれまで冷却用の空気を流通させることができ、それぞれのバッテリを好適に冷却できるようになっている。
【００３５】
また、平板状流路部１２０は、上述のようにバッテリを載置するための載置台として用いられるように構成される。すなわち、バッテリ用開口部１２２ａ、１２２ｂそれぞれの枠にバッテリを載置できるように成形されている。
【００３６】
分岐ダクト１００および中継部材２００を構成する熱可塑性樹脂としては、例えばポリプロピレン、ポリエチレン等のポリオレフィン系樹脂などが適用可能である。こうした材料樹脂は、発泡材料であってもよく、非発泡材料であってもよく、公知の各種樹脂材料を用いて構成されるものであってよい。
【００３７】
＜分岐ダクト１００の製造方法例＞
次に、図８、図９を参照しながら、本実施形態の分岐ダクト１００の製造方法例について説明する。図８は分割金型の開状態、図９は閉状態を金型側面から示す。
なお、中継部材２００の製造方法については、従来既知のブロー成形によるものであり、説明を省略する。
【００３８】
まず、図８に示すように、溶融状態の熱可塑性樹脂によるパリソンを環状ダイス１１より射出し、円筒形状のパリソンＰを分割金型１２ａ，１２ｂ間に押し出す。
【００３９】
パリソンＰを形成する際は、パリソンＰを構成する熱可塑性樹脂を押出機（図示せず）内で溶融混練し、アキュムレータ（図示せず）のアキュム室に一時的に貯留し、一定間隔毎に環状ダイス１１に供給して下方に垂下させる。この押出機は従来既知のタイプであり、詳細な説明を省略する。
【００４０】
パリソンＰを構成するための熱可塑性樹脂としては、例えばポリプロピレンやポリエチレン等のポリオレフィン系樹脂などが適用可能である。こうした材料樹脂は、上述のように、発泡材料であってもよく、非発泡材料であってもよい。
【００４１】
環状ダイス１１からパリソンＰを所定長さまで押し出した時点で、押し出したパリソンＰの下部側を下ピンチ１４で塞ぐと共に、環状ダイス１１におけるパリソンＰよりも内側に設けられた吹き出し口１３からプリブローのエアーを吹き込み、パリソンＰを所定の大きさまで拡張させる。これにより、パリソンＰのしわを伸ばすことができる。
【００４２】
なお、プリブローの方法は特に限定されず、例えば、下ピンチ１４側から吹き込みノズルをパリソンＰ内に挿入し、その吹き込みノズルからプリブロー用のエアーをパリソンＰの内部に吹き込むようにすることも可能である。
【００４３】
２つの分割形式の金型１２ａ，１２ｂは、開位置として、キャビティ面１０ａ，１０ｂを対向させた状態で配置される。それぞれのキャビティ面１０ａ，１０ｂの表面には、溶融状態のパリソンＰに基づいて成形される上述した分岐ダクト１００の外形、および表面形状に応じた凹凸部が設けられている。
【００４４】
分割金型１２ａ，１２ｂにおけるキャビティ面１０ａ，１０ｂの周囲には、ピンチオフ部が環状に形成される。分割金型１２ａ，１２ｂが型締めされた際、このピンチオフ部が互いに当接し、成形品である分岐ダクト１００にパーティングラインが形成される。
【００４５】
こうしてパリソンＰを分割金型１２ａ，１２ｂ間に押し出されると、不図示の金型駆動装置により分割金型１２ａ，１２ｂを型締めする。
【００４６】
金型駆動装置については、従来と同様のものであり、その説明は省略するが、２つの分割形式の金型１２ａ，１２ｂはそれぞれ、金型駆動装置により駆動され、金型１２ａ，１２ｂをパリソンＰの供給方向に対して略直交する方向に、開位置と閉位置との間で移動させる。開位置においては、溶融状態のパリソンＰが、２つの分割金型１２ａ，１２ｂの間に配置可能なようにされ、閉位置においては、分割金型１２ａ，１２ｂの環状のピンチオフ部１２２が互いに当接することにより、２つの分割金型１２ａ，１２ｂ内に密閉空間が形成されるようになっている。
【００４７】
分割金型１２ａ，１２ｂを図９に示すように閉状態として型締めする際、吹き出し口１３からエアーを吹き出しつつ型締めし、パリソンＰを膨らませるようにすることで、凹凸の大きなキャビティ面１０ａ，１０ｂの形状に沿いやすくする。また、所定のタイミングで、分割金型１０ａに設けられた所定穴から吹き込み針１５を差し込み、この吹き込み針１５から図９に示すようにエアーを流路方向Ｆに向かって吹き込むことで、パリソンＰの内側を所定圧力とする。吹き込み針１５からの吹き込み圧力の調整は、レギュレータを用いて調整するなど従来既知の各種方法を用いてよい。
【００４８】
また、吹き出し口１３からのエアーは、分割金型１２ａ，１２ｂが閉状態となる前後の所定のタイミングで停止する。こうした吹き出し口１３からのエアーの停止タイミングや、吹き込み針１５の差し込みタイミング、吹き込み針１５からのエアー吹き込みの開始タイミング、および停止タイミングは、それぞれ各種条件に応じて適宜定められることとしてよい。
【００４９】
吹き込み針１５の差し込み位置は、上述した分岐ダクト１００の上端開口部１１２の部分に対して設けられる閉鎖部１５０の位置となっている。このため、分岐ダクト１００の形状に影響を与えることなく、吹き込み針１５を差し込むことができる。
【００５０】
こうして図９に示すように、パリソンＰが分割金型１２ａ，１２ｂで挟み込まれ、キャビティ面１０ａ，１０ｂ表面の形に賦形され、中空の成形体とされる。
【００５１】
この後、分割金型１２ａ，１２ｂの型開きを行い、成形された樹脂成形品を取り出し、外周部のバリを除去すると共に、上述した上端開口部１１２、下端開口部１１３、バッテリ用開口部１２２それぞれの位置に成形された閉鎖部をカッター等で切断することで、上述した分岐ダクト１００が完成する。
【００５２】
以上のように、溶融状態の熱可塑性樹脂を間欠的に押し出すたびに、以上のような工程を繰り返すことにより、分岐ダクト１００を次々に効率的に成形することができる。
【００５３】
＜本実施形態の効果＞
次に、本実施形態のダクト構成体３００による効果について説明する。
【００５４】
一般に、上述のような分割金型によるブロー成形で中空の樹脂成形品を成形する場合、パーティングラインよりも遠い位置になるほど溶融状態の熱可塑性樹脂が引き延ばされて薄肉となる。すなわち、キャビティ面１０ａ，１０ｂにおける凹部の深さが深くなるため、パリソンＰを大きく引き延ばすこととなり、薄肉になっていく。
薄肉になりすぎると、ブロー成形によるエアーで溶融状態の熱可塑性樹脂がちぎれてしまったり、必要な強度を持たせることができなくなるなどの問題が発生してしまう。
【００５５】
本実施形態における分岐ダクト１００は、上述のように平板状流路部１２０が平板方向に幅広であるため、仮に平板状流路部１２０を縦断するようにパーティングラインの位置を設計してしまうと、平板状流路部１２０の縁端部でパーティングラインよりも遠い場所ができてしまうため、ブローによる一体成形が困難となってしまう。
【００５６】
このため、本実施形態における分岐ダクト１００では、パーティングライン１４０が平板状流路部１２０を縦断せず、その平板状流路部１２０の平板方向に対する側面にパーティングライン１４０を配置すると共に、縦型流路部１１０の側面から上端開口部１１２の開口面につながるように配置することにより、パーティングライン１４０から遠すぎる場所を作ることなく、適切な肉厚で製造することができる。
【００５７】
また、縦型流路部１１０における下端開口部１１３の方向については、パーティングライン１４０から遠くなることで薄肉になりすぎることのない流路長さおよび形状とし、別途成形された中継部材２００を下端開口部１１３の方向に嵌め込んで固定することで、図７に示す下側ダクト５００への嵌め込み深さＹを十分に確保できるようにしている。
【００５８】
このため、本実施形態によれば、上端開口部１１２からの流路を、平板状流路部１２０内の流路１２１に向かう方向と、下側ダクト５００内の流路に向かう方向とに分岐した流路を構成できるダクト構成体３００を製造するに当たっても、分岐ダクト１００として薄肉になりすぎることのない形状として製造でき、かつ、嵌め込み部２０２による下側ダクト５００への嵌め合わせ深さも十分に確保できる形状とすることができる。
【００５９】
このため、図６により上述したように、本実施形態のダクト構成体３００に下側ダクト５００を嵌め込み、平板状流路部１２０および下側ダクト５００のそれぞれにバッテリを載置して使用する場合にも、平板状流路部１２０に載置されたバッテリと、下側ダクト５００に載置されたバッテリとを同時に好適に冷却することができる。
【００６０】
また、本実施形態の分岐ダクト１００では、パーティングライン１４０が平板状流路部１２０における平板方向に対する側面に形成されるため、平板状流路部１２０に重量のあるバッテリが載置された場合であっても、平板状流路部１２０における平板方向に垂直な方向への荷重への強度をより十分に確保しやすくすることができる。
【００６１】
また、本実施形態の分岐ダクト１００では、パーティングライン１４０が平板状流路部１２０における平板方向に対する側面に、バッテリ用開口部１２２に触れないように形成されるため、パーティングライン１４０がバッテリ用開口部１２２につながる接点が割れの起点となってひび割れが発生してしまうという可能性をなくすことができる。このため、平板状流路部１２０に重量のあるバッテリが載置されて長期間使用された場合であっても、割れの発生をほとんどなくすことができる。
【００６２】
以上のように、本実施形態によれば、上端開口部１１２からの流路を、平板状流路部１２０内の流路１２１に向かう方向と、下側ダクト５００内の流路に向かう方向とに分岐した流路を構成でき、載置されたバッテリを好適に冷却できるダクト構成体３００を、ブロー成形により安価に大量生産することができる。
【００６３】
なお、上述した各実施形態は本発明の好適な実施形態であり、本発明はこれに限定されることなく、本発明の技術的思想に基づいて種々変形して実施することが可能である。
【００６４】
例えば、縦型流路部１１０の流路方向は、平板状流路部１２０に対して垂直に限定されず、平板状流路部１２０の平板方向とは異なる平面方向であれば、例えば平板状流路部１２０の平板方向に対して斜め方向となるように形成されてもよい。
【００６５】
また、平板状流路部１２０は、載置された対象物に流体を流出させることができれば、載置される物品の形状等に応じた凹凸が設けられた形状であってもよい。
【００６６】
また、バッテリ用開口部１２２は、図１、図３等に示す形状に限定されず、平板状流路部１２２ａ，１２２ｂについてのバッテリ用開口部１２２ａ，１２２ｂが、それぞれ複数の穴から構成されてもよい。
【００６７】
また、バッテリ用開口部１２２からの流路方向は、図６に示す鉛直上向きに限定されず、例えば上述のように平板状流路部１２０の開口面に凹凸が設けられた形状である場合、その凹凸形状部分に開口面が設けられてもよく、従って、流路方向はその凹凸形状部分から流出する流路方向とされてもよい。
【００６８】
このように、分岐ダクト１００の形状は、上述した実施形態に示す形状に限定されず、中空の分岐ダクトであれば用途、目的等に応じた各種形状であってよい。
【００６９】
また、分岐ダクト１００の製造方法として、ブロー用のエアー吹き込み針１５だけを分割金型１２内に差し込む方法に限定されず、吹き込み針と吹き出し針とを差し込み、吹き込み針からの吹き込み圧力と吹き出し針からの吹き出し圧力との差圧により、パリソンＰ内部を所定圧力に保持するようにしてもよい。
【００７０】
また、ブロー用のエアーによりパリソンＰを分割金型１２ａ，１２ｂのキャビティ面１０ａ，１０ｂ表面の形状に賦形するだけでなく、分割金型１２ａ，１２ｂから吸引することで、パリソンＰをキャビティ面１０ａ，１０ｂ表面の形状に賦形するようにしてもよい。
【産業上の利用可能性】
【００７１】
本発明に係る分岐ダクト１００やダクト構成体３００は、車両内に積載されるバッテリを冷却するためのバッテリ用ダクトとして好適に利用できる。また、建築物内など、積載された対象物までの分岐流路として機能する各種のダクトとしても好適に利用することができる。
【符号の説明】
【００７２】
１００    分岐ダクト（樹脂製ダクトの一例）
１１０    縦型流路部
１１１    流路
１１２    上端開口部
１１３    下端開口部
１１４    リブ
１１５    接合部材
１２０    平板状流路部
１２１    流路
１２２    バッテリ用開口部
１３０    橋渡し部
１４０    パーティングライン
１５０    閉鎖部
２００    中継部材
２０１    嵌合凹部
２０２    嵌め込み部
２１０    パーティングライン
３００    ダクト構成体
５００    下側ダクト
１０    キャビティ面
１１    環状ダイス
１２    分割金型
１３    吹き出し口
１４    下ピンチ
１５    吹き込み針
Ｐ    パリソン
【図１】
2014083866.tif 000003
【図２】
2014083866.tif 000004
【図３】
2014083866.tif 000005
【図４】
2014083866.tif 000006
【図５】
2014083866.tif 000007
【図６】
2014083866.tif 000008
【図７】
2014083866.tif 000009
【図８】
2014083866.tif 000010
【図９】
2014083866.tif 000011